(57)【要約】【課題】車内灯を利用したイルミネーションに乗員が飽きることを抑制し得る車内灯制御システム及び車内灯制御装置を提供する。【解決手段】車輌１に搭載された車内灯制御装置１０が、車内灯２のイルミネーションを行う際の点灯パターンを記憶部１３に複数記憶しておき、これらから１つを選択して車内灯２の点灯制御を行う。車外に設置されたサーバ装置５０は、車内灯２の点灯パターンを記憶部５３に複数記憶すると共に配信し、車輌１の車内灯制御装置１０は可搬型通信装置３０を介してサーバ装置５０が配信する点灯パターンを取得して記憶部１３に記憶する。ネットワークＮＷを介してサーバ装置５０との間で無線通信を行う機能を有する可搬型通信装置を介して、車輌１の車内灯制御装置１０と車外のサーバ装置５０とが通信を行い、サーバ装置５０が配信する点灯パターンを車内灯制御装置１０が取得する。【選択図】図１
2015058739.tif 000002
【特許請求の範囲】
【請求項１】
車内灯の点灯を制御する車内灯制御装置において、
前記車内灯の点灯パターンを複数記憶する記憶部と、
該記憶部に記憶された点灯パターンから一の点灯パターンを選択する操作を受け付ける選択操作受付部と、
該選択操作受付部が受け付けた選択に係る点灯パターンに応じて前記車内灯の点灯を制御する制御部と、
外部の装置から点灯パターンを取得して前記記憶部に記憶する取得部と
を備えることを特徴とする車内灯制御装置。
【請求項２】
前記点灯パターンには、前記車内灯の点灯色、又は、前記車内灯の点灯及び消灯を行うタイミングを含むこと
を特徴とする請求項１に記載の車内灯制御装置。
【請求項３】
前記車内灯の点灯パターンの作成操作を受け付ける作成操作受付部を備え、
該作成操作受付部が受け付けた作成操作に係る点灯パターンを前記記憶部に記憶するようにしてあること
を特徴とする請求項１又は請求項２に記載の車内灯制御装置。
【請求項４】
車内灯の点灯を制御する車内灯制御システムにおいて、
前記車内灯の点灯パターンを複数記憶する記憶部、該記憶部に記憶された点灯パターンから一の点灯パターンを選択する操作を受け付ける選択操作受付部、該選択操作受付部が受け付けた選択に係る点灯パターンに応じて前記車内灯の点灯を制御する制御部、及び、外部の配信装置から点灯パターンを取得して前記記憶部に記憶する取得部を有する車内灯制御装置と、
前記車内灯の点灯パターンを配信する前記配信装置と
を備えることを特徴とする車内灯制御システム。
【請求項５】
前記車内灯制御装置及び前記配信装置との通信が可能な可搬型通信装置を更に備え、
前記車内灯制御装置の取得部は、前記可搬型通信装置を介して前記配信装置から点灯パターンを取得するようにしてあること
を特徴とする請求項４に記載の車内灯制御システム。
【請求項６】
前記可搬型通信装置は、前記車内灯の点灯パターンの作成操作を受け付ける作成操作受付部を有し、
前記車内灯制御装置は、前記可搬型通信装置の前記作成操作受付部が受け付けた作成操作に係る点灯パターンを取得して前記記憶部に記憶する第２の取得部を有すること
を特徴とする請求項４又は請求項５に記載の車内灯制御システム。
【発明の詳細な説明】
【技術分野】
【０００１】
本発明は、車輌内に設けられた車内灯の点灯制御を行う車内灯制御装置及び車内灯制御システムに関する。
【背景技術】
【０００２】
車輌内にはルームランプ、ドームランプ又はマップランプ等の種々の車内灯が設けられている。特許文献１においては、携帯機との相互通信が成立したことを条件としてランプを点滅させると共に、車輌及び携帯機の距離に応じてランプの照明態様を変更させる車輌用点灯制御装置が提案されている。
【０００３】
近年では、車内灯に複数色の光源を用い、これらの光源を交互又は順番に点滅させるなどの制御を行うことによって、車内のイルミネーションを実現するシステムがある。このようなシステムを車輌に搭載することによって、車内における乗員の快適性を向上することができるという利点がある。
【先行技術文献】
【特許文献】
【０００４】
【特許文献１】特開２００４−１７５２５２号公報
【発明の概要】
【発明が解決しようとする課題】
【０００５】
従来の車内のイルミネーションシステムでは、予め定められた点灯パターンで車内灯の点灯が行われる。このため車輌を長期間に亘って使用している場合など、乗員がイルミネーションの点灯パターンに飽き、車内における乗員の快適性が低減する虞がある。
【０００６】
本発明は、斯かる事情に鑑みてなされたものであって、その目的とするところは、車内灯を利用したイルミネーションに乗員が飽きることを抑制し得る車内灯制御装置及び車内灯制御システムを提供することにある。
【課題を解決するための手段】
【０００７】
本発明に係る車内灯制御装置は、車内灯の点灯を制御する車内灯制御装置において、前記車内灯の点灯パターンを複数記憶する記憶部と、該記憶部に記憶された点灯パターンから一の点灯パターンを選択する操作を受け付ける選択操作受付部と、該選択操作受付部が受け付けた選択に係る点灯パターンに応じて前記車内灯の点灯を制御する制御部と、外部の装置から点灯パターンを取得して前記記憶部に記憶する取得部とを備えることを特徴とする。
【０００８】
また、本発明に係る車内灯制御装置は、前記点灯パターンには、前記車内灯の点灯色、又は、前記車内灯の点灯及び消灯を行うタイミングを含むことを特徴とする。
【０００９】
また、本発明に係る車内灯制御装置は、前記車内灯の点灯パターンの作成操作を受け付ける作成操作受付部を備え、該作成操作受付部が受け付けた作成操作に係る点灯パターンを前記記憶部に記憶するようにしてあることを特徴とする。
【００１０】
また、本発明に係る車内灯制御システムは、車内灯の点灯を制御する車内灯制御システムにおいて、前記車内灯の点灯パターンを複数記憶する記憶部、該記憶部に記憶された点灯パターンから一の点灯パターンを選択する操作を受け付ける選択操作受付部、該選択操作受付部が受け付けた選択に係る点灯パターンに応じて前記車内灯の点灯を制御する制御部、及び、外部の配信装置から点灯パターンを取得して前記記憶部に記憶する取得部を有する車内灯制御装置と、前記車内灯の点灯パターンを配信する前記配信装置とを備えることを特徴とする。
【００１１】
また、本発明に係る車内灯制御システムは、前記車内灯制御装置及び前記配信装置との通信が可能な可搬型通信装置を更に備え、前記車内灯制御装置の取得部は、前記可搬型通信装置を介して前記配信装置から点灯パターンを取得するようにしてあることを特徴とする。
【００１２】
また、本発明に係る車内灯制御システムは、前記可搬型通信装置が、前記車内灯の点灯パターンの作成操作を受け付ける作成操作受付部を有し、前記車内灯制御装置は、前記可搬型通信装置の前記作成操作受付部が受け付けた作成操作に係る点灯パターンを取得して前記記憶部に記憶する第２の取得部を有することを特徴とする。
【００１３】
本発明においては、車内灯制御装置が車内灯の点灯パターンを複数記憶しておき、これらから１つを選択して車内灯の点灯制御を行う。また車外の配信装置が車内灯の点灯パターンを複数記憶すると共に配信し、車輌の車内灯制御装置は、配信装置が配信する点灯パターンを取得して記憶する。これにより車内灯制御装置は、配信装置から取得した点灯パターンを選択し、新たな点灯パターンでの車内灯の点灯制御を行うことができる。配信されている物の中から好みの点灯パターンを選んで取得すればよいため、ユーザは容易に車内灯の点灯パターンを変更することが可能となる。
【００１４】
また、本発明においては、車内灯の点灯パターンには、車内灯の点灯色、又は、点灯／消灯のタイミングを含む。これにより車内灯の色を変化させる、車内灯を点滅させる等のイルミネーションを実現できる。
【００１５】
また、本発明においては、可搬型通信装置にて車内灯の点灯パターンの作成操作を受け付け、可搬型通信装置にて作成された点灯パターンを車内灯制御装置が取得して記憶する。これによりユーザは、車内灯の点灯パターンを自らの好みに応じて作成し、作成した点灯パターンでのイルミネーションを楽しむことができる。
可搬型通信装置にて作成操作を受け付けることによって、車内灯制御装置は作成操作の受け付けを行う必要がないため、車内灯制御装置のユーザインタフェース機器を簡略化する又は車内灯制御装置がユーザインタフェース機器を備えない構成とすることができ、車内灯制御装置を低コスト化することができる。
又は、車内灯制御装置にて点灯パターンの作成操作を受け付ける構成としてもよい。これにより可搬型通信装置を有していないユーザであっても、点灯パターンを作成することが可能となる。
【００１６】
また、本発明においては、無線通信機能を有する可搬型通信装置を介して、車輌の車内灯制御装置と車外の配信装置とが情報交換を行う構成とする。これにより車内灯制御装置は、無線通信機能を備えることなく、車外の配信装置から点灯パターンを取得することが可能となる。
【発明の効果】
【００１７】
本発明による場合は、車内灯の点灯パターンを変更可能とすることによって、車内灯を利用したイルミネーションに乗員が飽きることを回避できる。
【図面の簡単な説明】
【００１８】
【図１】本実施の形態に係る車内灯制御システムの構成を示すブロック図である。
【図２】本実施の形態に係る車内灯制御システムの構成を示すブロック図である。
【図３】車内灯制御装置によるイルミネーション処理の手順を示すフローチャートである。
【図４】可搬型通信装置による点灯パターンのダウンロード処理の手順を示すフローチャートである。
【図５】サーバ装置による点灯パターンの配信処理の手順を示すフローチャートである。
【図６】可搬型通信装置による点灯パターン作成処理の手順を示すフローチャートである。
【図７】可搬型通信装置による点灯パターン登録処理の手順を示すフローチャートである。
【図８】車内灯制御装置による点灯パターン登録処理の手順を示すフローチャートである。
【図９】実施の形態２に係る車内灯制御システムの構成を示すブロック図である。
【発明を実施するための形態】
【００１９】
（実施の形態１）
＜システム構成＞
以下、本発明をその実施の形態を示す図面に基づき具体的に説明する。図１及び図２は、本実施の形態に係る車内灯制御システムの構成を示すブロック図である。本実施の形態に係る車内灯制御システムは、車輌１に搭載された車内灯制御装置１０、ユーザが所持する可搬型通信装置３０、及び、車外に設置されたサーバ装置５０等を含んで構成されている。なお、図１には車輌１及び車内灯制御装置１０の構成の詳細を図示し、図２には可搬型通信装置３０及びサーバ装置５０の構成の詳細を図示してある。
【００２０】
車輌１内には、ルームランプ、ドームランプ又はマップランプ等の車内灯２が複数設けられている。各車内灯２は、車内灯制御装置１０から与えられる制御信号に応じて点灯／消灯の制御がなされる。また本実施の形態においては、各車内灯２が白、赤、緑、青の４色の光源を内部に備えており、車内灯制御装置１０は、光源毎に点灯／消灯を制御することができる。これにより車内灯制御装置１０は、車内灯２を例えば紫色又はオレンジ色等の中間色で点灯することが可能である。
【００２１】
車輌１内には、車内灯２の点灯などに関するユーザの操作を受け付けるための点灯スイッチ３及び操作パネル４等が設けられている。点灯スイッチ３は、例えば車内灯２毎に、この車内灯２の近傍に設けられる。点灯スイッチ３は、車内灯２の点灯／消灯の２状態を切り替えるスイッチであり、その切替状態を示す信号が車内灯制御装置１０へ入力される。本実施の形態においては、点灯スイッチ３にて車内灯２を点灯させる操作がなされた場合、車内灯制御装置１０は、後述する車内灯２のイルミネーションを行っているか否かに関わらず、対応する車内灯２を白色に点灯させる。
【００２２】
操作パネル４は、各種のメニュー又はアイコン等の画像を表示する液晶パネルなどの表示部と、表示されたメニュー又はアイコン等に対する選択操作などを受け付けるためのボタン又はタッチパネル等とを備えた装置である。操作パネル４は、例えばカーナビゲーション装置と共用のものであってよい。操作パネル４は、受け付けた操作を車内灯制御装置１０へ通知すると共に、車内灯制御装置１０の制御に応じてメニュー又はアイコン等の表示を行う。
【００２３】
車輌１は、無線ＬＡＮ（Local Area Network）などにより可搬型通信装置３０などとの無線通信を行う無線通信装置５を備えている。また無線通信装置５は、車内ネットワークなどを介して車内灯制御装置１０との通信を行うことができる。よって無線通信装置５は、車内灯制御装置１０と可搬型通信装置３０との通信を中継することができる。無線通信装置５は、車内灯制御装置１０から与えられた情報を可搬型通信装置３０へ送信すると共に、可搬型通信装置３０から受信した情報を車内灯制御装置１０へ与える。
【００２４】
車内灯制御装置１０は、車内灯２の点灯／消灯を制御する装置である。車内灯制御装置１０は、制御部１１、信号出力部１２及び記憶部１３等を備えて構成されている。制御部１１は、ＣＰＵ（Central Processing Unit）などの演算処理装置を用いて構成され、記憶部１３に記憶された制御プログラムを読み出して実行することにより、車内灯２の点灯制御を行う。
【００２５】
信号出力部１２は、制御部１１の制御に応じて、各車内灯２へ制御信号を出力する。なお車内灯制御装置１０は、車輌１に搭載された複数の車内灯２を個別に点灯／消灯することができる。また車内灯制御装置１０は、各車内灯２が有する複数の光源を個別に点灯／消灯することができる。このため信号出力部１２が各車内灯２へ出力する制御信号は、複数ビットの情報を有するシリアル信号又はパラレル信号である。
【００２６】
記憶部１３は、例えばＥＥＰＲＯＭ（Electrically Erasable Programmable Read Only Memory）又はフラッシュメモリ等のデータ書き換え可能な不揮発性のメモリ素子を用いて構成されている。記憶部１３は、制御部１１が実行する制御プログラム及び実行に必要なデータ等が記憶されている。本実施の形態において記憶部１３は、車内灯２のイルミネーションを行う際に用いられる一又は複数の点灯パターンが記憶されている。
【００２７】
制御部１１は、点灯スイッチ３にて車内灯２を点灯させる操作がなされた場合、車内灯２を白色に点灯させるべく、信号出力部１２に白色点灯の制御信号を出力させる。また制御部１１は、操作パネル４にて車内灯２のイルミネーションを行う操作がなされた場合、記憶部１３に記憶された点灯パターンを読み出し、読み出した点灯パターンに応じて車内灯２の点灯制御を行う。点灯パターンには、車内灯２の点灯色及び点灯タイミング等が設定されており、制御部１１は、設定された点灯タイミングにて設定された点灯色となるよう車内灯２を点灯させる。また記憶部１３に複数の点灯パターンが記憶されている場合、制御部１１は、操作パネル４に点灯パターンの一覧などを表示し、いずれの点灯パターンを用いるかの選択を操作パネル４にて受け付ける。
【００２８】
可搬型通信装置３０は、ユーザが持ち運び可能な形状及びサイズであり、携帯電話網及びインターネット等を含むネットワークＮＷを介した通信を行う機能を有する装置である。例えば可搬型通信装置３０は、携帯電話機、スマートフォン又はタブレット型端末装置等である。ただし本実施の形態においては、可搬型通信装置３０が有する機能などのうち、車輌１の車内灯２の点灯制御に関するものの説明を行い、それ以外については説明を省略する。可搬型通信装置３０は、処理部３１、記憶部３２、表示部３３、操作部３４、第１通信部３５及び第２通信部３６等を備えて構成されている。
【００２９】
可搬型通信装置３０の処理部３１は、ＣＰＵなどの演算処理装置を用いて構成され、記憶部３２に記憶された種々のアプリケーションプログラムを実行し、種々の情報処理を行うことができる。本実施の形態において処理部３１は、記憶部３２に記憶された点灯パターン変更アプリを実行することによって、車輌１の車内灯制御装置１０による車内灯２のイルミネーションの点灯パターンを変更する処理を行うことができる。このときに処理部３１は、点灯パターンをサーバ装置５０からダウンロードして取得し、車輌１の車内灯制御装置１０へ送信する処理を行う。また本実施の形態においては、ユーザは可搬型通信装置３０を利用して車内灯のイルミネーションの点灯パターンを自ら作成することができ、点灯パターンの作成に関する入力操作の受け付けなどの処理を可搬型通信装置３０の処理部３１が点灯パターン変更アプリの実行により行う。
【００３０】
記憶部３２は、例えばフラッシュメモリ又はハードディスクなどの記憶装置を用いて構成される。記憶部３２は、処理部３１が実行する各種のプログラム及び実行に必要なデータ等が記憶されている。本実施の形態において記憶部１３は、点灯パターン変更アプリ及び点灯パターンを記憶している。点灯パターン変更アプリは、サーバ装置５０又はその他のアプリケーション配信サーバ等からダウンロードして記憶部３２に記憶したものである。なお点灯パターン変更アプリは、車内灯制御装置１０が記憶しておき、これを可搬型通信装置３０が取得して記憶部３２に記憶してもよい。点灯パターンは、サーバ装置５０からダウンロードして記憶部３２に記憶したものか、又は、ユーザが作成して記憶部３２に記憶したものである。
【００３１】
表示部３３は、液晶パネルなどを用いて構成され、処理部３１の処理に応じて種々の画像を表示する。操作部３４は、表示部３３の表面に設けられたタッチパネル、及び、一又は複数のプッシュ式のボタン等を有し、ユーザの操作を受け付けて処理部３１へ通知する。第１通信部３５は、携帯電話網及びインターネット等を含むネットワークＮＷを介して他の通信装置との通信を行うものである。本実施の形態において第１通信部３５は、ネットワークＮＷを介してサーバ装置５０との通信を行う。第１通信部３５は、処理部３１から与えられた情報をサーバ装置５０へ送信し、サーバ装置５０から受信した情報を処理部３１へ与える。第２通信部３６は、無線ＬＡＮなどにより他の通信装置との通信を行うものである。本実施の形態において第２通信部３６は、車輌１の無線通信装置５との通信を行う。第２通信部３６は、処理部３１から与えられた情報を無線通信装置５へ送信し、無線通信装置５から受信した情報を処理部３１へ与える。
【００３２】
サーバ装置５０は、車輌１外の適所に設置され、例えば車輌１の製造若しくは販売等を行う会社、又は、点灯パターン変更アプリの制作会社等が運営する装置である。サーバ装置５０は、車輌１の車内灯制御装置１０が車内灯２のイルミネーションを行う際に用いる点灯パターンを配信する。サーバ装置５０は、処理部５１、通信部５２及び記憶部５３等を備えて構成されている。
【００３３】
サーバ装置５０の処理部５１は、ＣＰＵなどの演算処理装置を用いて構成され、記憶部５３に記憶されたサーバプログラムを実行することによって、点灯パターンの配信に係る種々の情報処理を行うことができる。例えば処理部５１は、点灯パターンを配信する可搬型通信装置３０との間で認証処理又は課金処理等を行うことができる。通信部５２は、インターネット及び携帯電話網等を含むネットワークＮＷを介して他の通信装置との通信を行うものである。本実施の形態において通信部５２は、ネットワークＮＷを介して可搬型通信装置３０との通信を行う。通信部５２は、処理部５１から与えられた情報を可搬型通信装置３０へ送信し、可搬型通信装置３０から受信した情報を処理部５１へ与える。
【００３４】
記憶部５３は、ハードディスクなどの記憶装置を用いて構成され、処理部５１が実行する各種のプログラム及び実行に必要なデータ等が記憶されている。本実施の形態において記憶部５３は、点灯パターンを複数記憶している。記憶部５３に記憶される点灯パターンは、例えばサーバ装置５０の運営会社などにて作成されるものであってよい。また、ユーザが可搬型通信装置３０にて作成した点灯パターンをサーバ装置５０に投稿することが可能な構成としてもよく、この場合にはサーバ装置５０はユーザが投稿した点灯パターンを記憶部５３に記憶し、配信する。
【００３５】
＜車内灯のイルミネーション＞
本実施の形態に係る車内灯制御システムでは、点灯スイッチ３による車内灯２の白色点灯がなされていない場合に、車内灯制御装置１０が所定の点灯パターンで車内灯２を点灯させるイルミネーションを行うことができる。このイルミネーションを行う場合、例えばユーザは、操作パネル４の表示部に表示されたメニューから車内イルミネーションの項目を選択する。車内灯制御装置１０の制御部１１は、記憶部１３に記憶された点灯パターンの名称一覧などを操作パネル４の表示部に表示し、いずれの点灯パターンを用いるかの選択を操作パネル４にて受け付ける。このときに制御部１１は、各点灯パターンに応じて車内灯２の点灯を行った様子などを、操作パネル４の表示部にアニメーションなどで表示してもよい。
【００３６】
点灯パターンの選択を受け付けた制御部１１は、この点灯パターンを記憶部１３から選択して読み出す。制御部１１は、読み出した点灯パターンに基づき、車内灯２の点灯色及び点灯／消灯のタイミング等が設定された点灯パターンとなるように、信号出力部１２から制御信号を各車内灯２へ出力する。これにより車内灯２は、点灯パターンに設定された点灯／消灯のタイミングで、設定された点灯色で点灯／消灯がなされ、車内のイルミネーションが実現される。
【００３７】
図３は、車内灯制御装置１０によるイルミネーション処理の手順を示すフローチャートである。車内灯制御装置１０の制御部１１は、操作パネル４に対する操作によって、車内灯２のイルミネーションを行う指示が与えられたか否かを判定し（ステップＳ１）、指示が与えられていない場合には（Ｓ１：ＮＯ）、指示が与えられるまで待機する。イルミネーションを行う指示が与えられた場合（Ｓ１：ＹＥＳ）、制御部１１は、記憶部１３に記憶されている点灯パターンの一覧表示を行う（ステップＳ２）。次いで制御部１１は、操作パネル４に対する操作によって、イルミネーションに用いる点灯パターンの選択を受け付けたか否かを判定し（ステップＳ３）、選択を受け付けていない場合には（Ｓ３：ＮＯ）、ステップＳ２へ処理を戻し、一覧表示を継続して行う。
【００３８】
点灯パターンの選択を受け付けた場合（Ｓ３：ＹＥＳ）、制御部１１は、選択された点灯パターンを記憶部１３から読み出し（ステップＳ４）、読み出した点灯パターンに応じた点灯色及び点灯タイミングでの車内灯２の点灯制御を行う（ステップＳ５）。次いで制御部１１は、操作パネル４に対する操作によって、車内灯２のイルミネーションを終了する指示が与えられたか否かを判定し（ステップＳ６）、終了指示が与えられていない場合には（Ｓ６：ＮＯ）、ステップＳ５へ処理を戻し、車内灯２の点灯制御を継続して行う。終了指示が与えられた場合（Ｓ６：ＹＥＳ）、制御部１１は、車内灯２を消灯して（ステップＳ７）、イルミネーション処理を終了する。
【００３９】
なお図示は省略するが、点灯スイッチ３に対して車内灯２の点灯操作がなされた場合、制御部１１は、イルミネーションのための点灯制御を中断して、車内灯２を白色点灯させるべく制御信号の出力を行う。
【００４０】
＜点灯パターンのダウンロード＞
本実施の形態に係る車内灯制御システムでは、サーバ装置５０が点灯パターンを配信しており、ユーザは可搬型通信装置３０にてサーバ装置５０から好みの点灯パターンをダウンロードすることができる。点灯パターンのダウンロードを行う場合、例えばユーザは可搬型通信装置３０にて記憶部３２に記憶された点灯パターン変更アプリを起動する。点灯パターン変更アプリを実行した処理部３１はメニュー画面を表示部３３に表示する。ユーザは、操作部３４を利用して、表示部３３に表示されたメニューから点灯パターンのダウンロードの項目を選択する。
【００４１】
ダウンロードの項目が選択された場合、可搬型通信装置３０の処理部３１は、第１通信部３５によるネットワークＮＷを介したサーバ装置５０との通信を開始する。サーバ装置５０との通信が確立した後、処理部３１は、サーバ装置５０に対して、配信されている点灯パターンの一覧情報などを要求する。この要求を受信したサーバ装置５０は、記憶部５３に記憶した点灯パターンの一覧情報を可搬型通信装置３０へ送信する。一覧情報を受信した可搬型通信装置３０の処理部３１は、表示部３３にダウンロード可能な点灯パターンの一覧表示を行うと共に、ダウンロードする点灯パターンの選択操作を操作部３４にて受け付ける。このときに処理部３１は、各点灯パターンに応じて車内灯２の点灯を行った様子などを、表示部３３にアニメーションなどで表示してもよい。
【００４２】
点灯パターンの選択を受け付けた処理部３１は、この点灯パターンのダウンロード要求をサーバ装置５０へ送信する。ダウンロード要求を受信したサーバ装置５０は、要求された点灯パターンを記憶部５３から読み出して可搬型通信装置３０へ送信する。なおこのときにサーバ装置５０は、可搬型通信装置３０との間で認証処理又は課金処理等を行って、これらの処理を完了した後に点灯パターンの送信を行ってもよい。サーバ装置５０からの点灯パターンを受信した可搬型通信装置３０は、受信した点灯パターンを記憶部３２に記憶する。なおサーバ装置５０からの点灯パターンのダウンロードは、例えば車輌１から遠く離れた場所など、可搬型通信装置３０及び車内灯制御装置１０が通信を行うことができない状況で行われてもよい。
【００４３】
図４は、可搬型通信装置３０による点灯パターンのダウンロード処理の手順を示すフローチャートである。可搬型通信装置３０の処理部３１は、点灯パターン変更アプリを実行することによって、点灯パターンの変更に関する複数の項目を有するメニュー画面を表示部３３に表示する（ステップＳ１１）。処理部３１は、操作部３４にて、メニュー画面に含まれる点灯パターンのダウンロードの項目が選択されたか否かを判定し（ステップＳ１２）、ダウンロードの項目が選択されていない場合（Ｓ１２：ＮＯ）、ステップＳ１１へ処理を戻し、メニュー表示を継続する。
【００４４】
ダウンロードの項目が選択された場合（Ｓ１２：ＹＥＳ）、処理部３１は、第１通信部３５にてネットワークＮＷを介したサーバ装置５０との通信を開始する（ステップＳ１３）。サーバ装置５０との通信が確立した後、処理部３１は、サーバ装置５０へ配信されている点灯パターンの一覧情報を要求し（ステップＳ１４）、この要求に対する応答としてサーバ装置５０から送信される一覧情報を第１通信部３５にて受信したか否かを判定する（ステップＳ１５）。一覧情報を受信していない場合（Ｓ１５：ＮＯ）、処理部３１は、サーバ装置５０から一覧情報を受信するまで待機する。
【００４５】
サーバ装置５０から一覧情報を受信した場合（Ｓ１５：ＹＥＳ）、処理部３１は、受信した一覧情報に基づいて、ダウンロード可能な点灯パターンの一覧を表示部３３に表示する（ステップＳ１６）。処理部３１は、表示した一覧からダウンロード対象とする点灯パターンの選択が操作部３４にてなされたか否かを判定し（ステップＳ１７）、選択がなされていない場合には（Ｓ１７：ＮＯ）、ステップＳ１６へ処理を戻し、一覧表示を継続する。
【００４６】
点灯パターンの選択がなされた場合（Ｓ１７：ＹＥＳ）、処理部３１は、選択された点灯パターンのダウンロード要求をサーバ装置５０へ与える（ステップＳ１８）。処理部３１は、ダウンロード要求に対する応答としてサーバ装置５０から送信される点灯パターンを第１通信部３５にて受信したか否かを判定し（ステップＳ１９）、受信していない場合には（Ｓ１９：ＮＯ）、点灯パターンを受信するまで待機する。点灯パターンを受信した場合（Ｓ１９：ＹＥＳ）、処理部３１は、受信した点灯パターンを記憶部３２に記憶して（ステップＳ２０）、処理を終了する。
【００４７】
図５は、サーバ装置５０による点灯パターンの配信処理の手順を示すフローチャートである。サーバ装置５０の処理部５１は、配信している点灯パターンの一覧情報の要求を、可搬型通信装置３０から受信したか否かを判定する（ステップＳ３１）。一覧情報の要求を受信した場合（Ｓ３１：ＹＥＳ）、処理部５１は、記憶部５３に記憶している点灯パターンについての一覧情報を作成し（ステップＳ３２）、作成した一覧情報を通信部５２にて可搬型通信装置３０へ送信し（ステップＳ３３）、ステップＳ３１へ処理を戻す。
【００４８】
一覧情報の要求を受信していない場合（Ｓ３１：ＮＯ）、処理部５１は、可搬型通信装置３０から点灯パターンのダウンロード要求を受信したか否かを判定する（ステップＳ３４）。ダウンロード要求を受信していない場合（Ｓ３４：ＮＯ）、処理部５１は、ステップＳ３１へ処理を戻し、一覧情報の要求又はダウンロード要求を受信するまで待機する。ダウンロード要求を受信した場合（Ｓ３４：ＹＥＳ）、処理部５１は、要求された点灯パターンを記憶部５３から読み出し（ステップＳ３５）、読み出した点灯パターンを要求元の可搬型通信装置３０へ送信して（ステップＳ３６）、ステップＳ３１へ処理を戻す。
【００４９】
＜点灯パターンの作成＞
本実施の形態に係る車内灯制御システムでは、可搬型通信装置３０にてユーザが自らの好みに応じた点灯パターンを作成することができる。点灯パターンの作成を行う場合、例えばユーザは点灯パターン変更アプリを起動して表示部３３に表示されたメニュー画面から点灯パターン作成の項目を選択する。点灯パターン作成の選択を受け付けた処理部３１は、点灯パターンを作成するためのエディタ画面を表示部３３に表示する。エディタ画面においては、新規の点灯パターンを作成することができ、記憶部３２に記憶された点灯パターンの修正を行うことができる。なおエディタ画面の詳細については説明を省略する。ユーザが作成可能な点灯パターンは、例えば以下のようなものである。
【００５０】
対象：ルームランプ
１：赤色点灯、２０秒間
２：赤→青変更、１０秒
３：青色点灯、２０秒間
４：青→黄変更、１０秒
５：黄色点灯、２０秒間
６：黄色点滅、２秒周期、２０秒間
７：黄→赤変更、１０秒
８：１へ戻る
【００５１】
上記の例では、イルミネーションとして利用する車内灯２として、車輌１のルームランプが選択されている。この他に、例えばドームランプ又はマップランプ等が選択可能である。この点灯パターンでは、まずルームランプを２０秒間に亘って赤色点灯させ、その後に赤色から青色へ１０秒かけて点灯色を変更し、２０秒間に亘って青色点灯を行い、その後に青色から黄色へ１０秒かけて点灯色を変更し、２０秒に亘って黄色点灯を行い、２秒周期の黄色点滅を２０秒間行った後、黄色から赤色へ１０秒かけて点灯色を変更するという点灯制御が繰り返し行われる。
【００５２】
処理部３１は、ユーザが作成した点灯パターンに応じて車内灯２の点灯を行った様子などを、表示部３３にアニメーションなどで表示してもよい。点灯パターンの作成が完了した場合、処理部３１は、作成された点灯パターンを記憶部３２に記憶する。
【００５３】
図６は、可搬型通信装置３０による点灯パターン作成処理の手順を示すフローチャートである。可搬型通信装置３０の処理部３１は、点灯パターンの変更に関する複数の項目を有するメニュー画面を表示部３３に表示する（ステップＳ４１）。なお本フローチャートのステップＳ４１の処理は、図４に示したフローチャートのステップＳ１１の処理と共通である。処理部３１は、メニュー画面に含まれる点灯パターンの作成の項目が選択されたか否かを判定し（ステップＳ４２）、点灯パターンの作成の項目が選択されていない場合（Ｓ４２：ＮＯ）、ステップＳ４１へ処理を戻し、メニュー表示を継続する。
【００５４】
点灯パターンの作成の項目が選択された場合（Ｓ４２：ＹＥＳ）、処理部３１は、点灯パターンを作成するためのエディタ画面を表示部３３に表示する（ステップＳ４３）。処理部３１は、表示部３３にエディタ画面を表示した状態で、点灯パターンの入力又は変更等の作成操作を操作部３４にて受け付け、操作に応じた点灯パターンを作成する処理を行う（ステップＳ４４）。処理部３１は、例えばエディタ画面に設けられた終了アイコンなどに対する操作の有無に応じて、点灯パターンの作成を完了したか否かを判定する（ステップＳ４５）。点灯パターンの作成を完了していない場合（Ｓ４５：ＮＯ）、処理部３１は、ステップＳ４４へ処理を戻し、作成操作の受け付けなどの処理を継続して行う。点灯パターンの作成を完了した場合（Ｓ４５：ＹＥＳ）、処理部３１は、作成された点灯パターンを記憶部３２に記憶し（ステップＳ４６）、処理を終了する。
【００５５】
＜点灯パターンの登録＞
可搬型通信装置３０がサーバ装置５０からダウンロードした点灯パターン、及び、可搬型通信装置３０にてユーザが作成した点灯パターンは、記憶部３２に記憶されている。ユーザは、可搬型通信装置３０の記憶部３２に記憶されているこれらの点灯パターンを、車輌１の車内灯制御装置１０へ送信して記憶部１３に記憶させることができる。これにより車内灯制御装置１０は、車内灯２のイルミネーションを行う際に、サーバ装置５０からダウンロードした点灯パターン、又は、ユーザが作成した点灯パターンを選択して車内灯２の点灯制御を行うことができる。
【００５６】
例えばユーザは、可搬型通信装置３０にて点灯パターン変更アプリを起動し、表示部３３に表示されたメニュー画面から点灯パターン登録の項目を選択する。点灯パターン登録の選択を受け付けた可搬型通信装置３０の処理部３１は、第２通信部３６にて車輌１の無線通信装置５との無線通信を開始する。このときに処理部３１は、車輌１の無線通信装置５又は車内灯制御装置１０等との間で認証処理を行い、認証処理に成功した場合に以降の処理を行う構成としてよい。
【００５７】
可搬型通信装置３０の処理部３１は、記憶部３２に記憶した点灯パターンの名称一覧などを表示部３３に表示し、車輌１の車内灯制御装置１０へ送信する点灯パターンの選択を操作部３４にて受け付ける。このときに処理部３１は、各点灯パターンに応じて車内灯２の点灯を行った様子などを、操作パネル４の表示部にアニメーションなどで表示してもよい。処理部３１は、選択された点灯パターンを記憶部３２から読み出し、第２通信部にて車輌１の車内制御装置１０へ送信する。
【００５８】
車輌１の無線通信装置５は、可搬型通信装置３０が送信した点灯パターンを受信し、車内灯制御装置１０へ与える。車内灯制御装置１０の制御部１１は、可搬型通信装置３０からの点灯パターンを無線通信装置５から取得して記憶部１３に記憶する。
【００５９】
図７は、可搬型通信装置３０による点灯パターン登録処理の手順を示すフローチャートである。可搬型通信装置３０の処理部３１は、点灯パターンの変更に関する複数の項目を有するメニュー画面を表示部３３に表示する（ステップＳ５１）。なお本フローチャートのステップＳ５１の処理は、図４に示したフローチャートのステップＳ１１及び図６に示したフローチャートのステップＳ４１の処理と共通である。処理部３１は、メニュー画面に含まれる点灯パターンの登録の項目が選択されたか否かを判定し（ステップＳ５２）、点灯パターンの登録の項目が選択されていない場合（Ｓ５２：ＮＯ）、ステップＳ５１へ処理を戻し、メニュー表示を継続する。
【００６０】
点灯パターンの登録の項目が選択された場合（Ｓ５２：ＹＥＳ）、処理部３１は、第２通信部３６にて車輌１の無線通信装置５を介した車内灯制御装置１０との通信を開始する（ステップＳ５３）。車輌１との通信が確立した後、処理部３１は、記憶部３２に記憶されている点灯パターンの一覧を表示部３３に表示し（ステップＳ５４）、車輌１の車内灯制御装置１０へ送信する点灯パターンの選択を受け付けたか否かを判定する（ステップＳ５５）。選択を受け付けていない場合（Ｓ５５：ＮＯ）、処理部３１は、ステップＳ５４へ処理を戻し、一覧表示を継続する。
【００６１】
点灯パターンの選択を受け付けた場合（Ｓ５５：ＹＥＳ）、処理部３１は、選択された点灯パターンを記憶部３２から読み出し（ステップＳ５６）、読み出した点灯パターンを第２通信部５６にて車輌１の車内灯制御装置１０へ無線送信し（ステップＳ５７）、処理を終了する。
【００６２】
図８は、車内灯制御装置１０による点灯パターン登録処理の手順を示すフローチャートである。車内灯制御装置１０の制御部１１は、可搬型通信装置３０からの要求に応じて、無線通信装置５を利用した可搬型通信装置３０との無線通信を開始する（ステップＳ６１）。制御部１１は、可搬型通信装置３０から送信される点灯パターンを無線通信装置５を介して受信したか否かを判定し（ステップＳ６２）、受信していない場合には（Ｓ６２：ＮＯ）、点灯パターンを受信するまで待機する。点灯パターンを受信した場合（Ｓ６２：ＹＥＳ）、制御部１１は、受信した点灯パターンを記憶部１３に記憶し（ステップＳ６３）、処理を終了する。
【００６３】
＜まとめ＞
以上の構成の本実施の形態に係る車内灯制御システムは、車輌１に搭載された車内灯制御装置１０が、車内灯２のイルミネーションを行う際の点灯パターンを記憶部１３に複数記憶しておき、これらから１つを選択して車内灯２の点灯制御を行う。また車外に設置されたサーバ装置５０は、車内灯２の点灯パターンを記憶部５３に複数記憶すると共に配信し、車輌１の車内灯制御装置１０は可搬型通信装置３０を介してサーバ装置５０が配信する点灯パターンを取得して記憶部１３に記憶する。これにより車内灯制御装置１０は、サーバ装置５０から取得した点灯パターンを選択し、新たな点灯パターンで車内灯２の点灯制御を行うことができる。サーバ装置５０により配信される点灯パターンからユーザが好みのものをダウンロードすればよいため、ユーザは車内灯の点灯パターンを容易に変更することができる。
【００６４】
また本実施の形態に係る車内灯制御システムでは、ネットワークＮＷを介してサーバ装置５０との間で無線通信を行う機能を有する可搬型通信装置を介して、車輌１の車内灯制御装置１０と車外のサーバ装置５０とが通信を行い、サーバ装置５０が配信する点灯パターンを車内灯制御装置１０が取得する。これにより車内灯制御装置１０は、車輌１内にネットワークＮＷを介したサーバ装置５０との無線通信を行う機能を備えることなく、車外のサーバ装置５０から点灯パターンを取得することができる。
【００６５】
また本実施の形態においては、可搬型通信装置３０にて車内灯２の点灯パターンの入力を操作部３４にて受け付けることにより、点灯パターンの作成操作を受け付け、可搬型通信装置３０にて入力された点灯パターンを車内灯制御装置１０が取得して記憶部１３に記憶する。これによりユーザは、車内灯２の点灯パターンを自らの好みに応じて作成することができ、作成した点灯パターンでのイルミネーションを楽しむことができる。また可搬型通信装置にて点灯パターン作成に関する操作入力の受け付けを行うことにより、車内灯制御装置１０はこのような入力操作の受け付けを行う必要がないため、車内灯制御装置１０の操作パネル４の機能を簡略化することが可能となる。
【００６６】
また車内灯２の点灯パターンには、車内灯２の点灯色、又は、点灯／消灯を行うタイミング等を含む。これにより車内灯２の点灯色を変化させる、車内灯２を点滅させる等のイルミネーションを実現することができる。
【００６７】
なお本実施の形態においては、車輌１の車内灯制御装置１０が無線通信装置５を介して可搬型通信装置３０との無線通信を行う構成としたが、これに限るものではない。例えば車内灯制御装置１０及び可搬型通信装置３０をＵＳＢ（Universal Serial Bus）ケーブルなどを介して接続し、有線の通信を行う構成としてもよい。またサーバ装置５０からの点灯パターンのダウンロードに関する処理を可搬型通信装置３０が行う構成としたが、これに限るものではない。点灯パターンのダウンロードに関する処理を車内灯制御装置１０が行う構成としてもよく、この場合には可搬型通信装置３０のネットワークＮＷを介した無線通信機能を車内灯制御装置１０が利用するのみとし、可搬型通信装置３０は車内灯制御装置１０及びサーバ装置５０間の通信を中継するのみであってよい。また点灯パターンの作成に係る入力操作の受け付けを可搬型通信装置３０にて行う構成としたが、これに限るものではない。点灯パターンの作成に係る入力操作の受け付けを車内灯制御装置１０が行う構成としてもよい。
【００６８】
（実施の形態２）
図９は、実施の形態２に係る車内灯制御システムの構成を示すブロック図である。実施の形態２に係る車内灯制御システムは、可搬型通信装置３０を介することなく、車輌１の車内灯制御装置２１０と車外のサーバ装置５０とがネットワークＮＷを介した通信を行うことができる。このため車輌１の無線通信装置２０５は、携帯電話網及びインターネット等を含むネットワークＮＷを介した通信を行う機能を有し、車内灯制御装置２１０とサーバ装置５０との通信を中継する。
【００６９】
実施の形態２に係る車内灯制御装置２１０は、記憶部１３に点灯パターン変更アプリを記憶している。車内灯制御装置２１０の制御部２１１は、点灯パターン変更アプリを実行することによって、上述の点灯パターンのダウンロード処理及び作成処理と同様の処理を行う。これにより制御部２１１は、サーバ装置５０からダウンロードした点灯パターンを記憶部１３に記憶すると共に、操作パネル４にて作成に係る入力操作を受け付けた点灯パターンを記憶部１３に記憶する。制御部２１１は、記憶部１３に記憶した点灯パターンからいずれか１つを選択し、選択した点灯パターンにて設定された点灯パターンで車内灯２の点灯制御を行い、イルミネーションを実現する。
【符号の説明】
【００７０】
１  車輌
２  車内灯
３  点灯スイッチ
４  操作パネル
５  無線通信装置
１０  車内灯制御装置
１１  制御部（選択操作受付部、取得部、第２の取得部）
１２  信号出力部
１３  記憶部（記憶部）
３０  可搬型通信装置
３１  処理部（作成操作受付部）
３２  記憶部
３３  表示部
３４  操作部（作成操作受付部）
３５  第１通信部
３６  第２通信部
５０  サーバ装置（配信装置）
５１  処理部
５２  通信部
５３  記憶部
２０５  無線通信装置
２１０  車内灯制御装置
２１１  制御部（作成操作受付部）
【図１】
2015058739.tif 000003
【図２】
2015058739.tif 000004
【図３】
2015058739.tif 000005
【図４】
2015058739.tif 000006
【図５】
2015058739.tif 000007
【図６】
2015058739.tif 000008
【図７】
2015058739.tif 000009
【図８】
2015058739.tif 000010
【図９】
2015058739.tif 000011